(57)【特許請求の範囲】
【請求項１】
浴室の天井パネルの外上部に設置された酸素富化装置で発生した高酸素濃度の空気を空気配管から浴室内の空気供給用ノズルに供給するものであり、
前記酸素富化装置の吐出口直後の空気配管に対して、有底円筒状の消音本体を設け、この消音本体の上部開口を弾性蓋材で気密に閉塞して、消音本体の内部に、空気配管の内径よりも大径の消音空間部を設ける一方、
前記消音本体の下部の中央部には、略水平方向から略垂直方向へＬ字形状に屈曲する流入部を形成して、前記消音空間部の弾性蓋材の中央部に対して、略垂直（略直角）方向から空気を流入させるようにし、
前記消音本体の下部の周囲部には、略水平方向から略垂直方向へＬ字形状に屈曲する流出部を形成して、前記消音空間部の弾性蓋材の周囲部に対して、略垂直（略直角）方向から空気を流出させるようにしていることを特徴とする空気配管の消音装置。
【発明の詳細な説明】
【技術分野】
【０００１】
本発明は、空気配管の消音装置に関する。
【背景技術】
【０００２】
従来、酸素富化装置で発生した高酸素濃度の空気を浴室内に供給するようにしたものがある（特許文献１参照）。
【０００３】
これは、浴室内に蒸気や熱気がこもり、呼吸が息苦しく感じられることから、酸素富化装置で発生した高酸素濃度の空気を浴室内に供給して、呼吸の息苦しさを無くすことで快適に入浴できるようにしたものである。
【０００４】
前記酸素富化装置は、一般的には浴室の天井パネルの外上部に設置して、高酸素濃度の空気を浴室内に供給するための空気供給ノズルは、浴室の側壁パネルや浴槽のエプロン内に設けている。
【０００５】
なお、気泡発生浴槽装置の空気の吸気口に、吸気音を消音する消音フードを取り付けたものが提案されている。
【特許文献１】実公平７−５１５６３号公報
【特許文献２】特開平１１−３３０７１号公報
【発明の開示】
【発明が解決しようとする課題】
【０００６】
しかしながら、酸素富化装置で発生した高酸素濃度の空気を浴室内に供給するためのポンプとして、脈動を生じる容積型ポンプを使用した場合、高酸素濃度の空気に含まれる脈動に伴う騒音が配管から天井パネルを経て浴室内に伝わるとともに、配管を通って空気供給ノズルから浴室内に伝わるという問題があった。また、騒音の低減のための消音装置として、金属製のものが一般的であるが、消音効果を高めるために、大型になりやすいという問題があった。
【０００７】
本発明は、前記問題を解消するためになされたもので、空気の脈動に伴う騒音をコンパクトな構造で効果的に低減できるようにした空気配管の消音装置を提供することを課題とするものである。
【課題を解決するための手段】
【０００８】
前記課題を解決するために、本発明は、浴室の天井パネルの外上部に設置された酸素富化装置で発生した高酸素濃度の空気を空気配管から浴室内の空気供給用ノズルに供給するものであり、前記酸素富化装置の吐出口直後の空気配管に対して、有底円筒状の消音本体を設け、この消音本体の上部開口を弾性蓋材で気密に閉塞して、消音本体の内部に、空気配管の内径よりも大径の消音空間部を設ける一方、前記消音本体の下部の中央部には、略水平方向から略垂直方向へＬ字形状に屈曲する流入部を形成して、前記消音空間部の弾性蓋材の中央部に対して、略垂直（略直角）方向から空気を流入させるようにし、前記消音本体の下部の周囲部には、略水平方向から略垂直方向へＬ字形状に屈曲する流出部を形成して、前記消音空間部の弾性蓋材の周囲部に対して、略垂直（略直角）方向から空気を流出させるようにしていることを特徴とする空気配管の消音装置を提供するものである。
【発明の効果】
【０００９】
本発明によれば、空気配管に介設した消音装置の消音本体の上部開口を弾性蓋材で気密に閉塞して、消音本体の内部に、空気配管の内径よりも大径の消音空間部を設けたから、弾性蓋材が空気の脈動流で振動して騒音エネルギーを減衰するので、空気の脈動に伴う騒音を効果的に低減できるようになる。また、騒音エネルギーを弾性蓋材の振動で減衰させるので、消音装置自体がコンパクトな構造であっても消音効果を高めることができる。
【００１０】
また、消音空間部の弾性蓋材で構成した部分に対して、流入部より略垂直方向から空気を流入させるようにしたから、空気の脈動流が流入部から弾性蓋材の中央部に直に当たるから、騒音エネルギーの減衰効率が向上するようになる。
【００１１】
さらに、消音空間部の弾性蓋材で構成した部分に対して、流出部より略垂直方向から空気を流出させるようにしたから、騒音エネルギーが減衰された空気が弾性蓋材から流出部に直に出るから、騒音エネルギーの減衰効率に悪影響が与えられにくくなる。
【００１２】
さらにまた、酸素富化装置の吐出口直後の空気配管に消音装置を設けて、この消音装置の消音本体の消音空間部の上部に弾性蓋材を設け、この消音空間部の下部に流入部および流出部を形成したから、酸素富化装置の吐出口付近で結露した高酸素濃度の空気の結露水が流入部から消音空間部内に入っても、下部の流出部から直ちに排出されて消音空間部内に溜まらないので、騒音エネルギーの減衰効率に悪影響を与えにくくなる。
【００１３】
この結果、高酸素濃度の空気に含まれる脈動に伴う騒音が酸素富化装置の空気配管を通って空気供給ノズルから浴室内に伝わりにくくなるので、浴室内が静寂になる。
【００１４】
また、騒音が空気配管から天井パネルを経て浴室内に伝わりにくくなるので、この点からも浴室内が静寂になる。
【発明を実施するための最良の形態】
【００１５】
以下、本発明を実施するための最良の形態について、図面を参照しながら詳細に説明する。
【００１６】
図１に示すように、浴室１の下部の一側には浴槽２が設置され、他側を洗い場３としている。浴室１の四周囲は側壁パネル（具体的に図示せず。）で取り囲まれ、その上部に天井パネル４が取付けられている。前記側壁パネルの一部に出入り用扉が設けられている。
【００１７】
前記天井パネル４の外上部には酸素富化装置５が設置されている。この酸素富化装置５は、具体的に図示しないが、酸素富化膜と真空ポンプ（脈動を生じる容積型ポンプ）とで構成され、真空ポンプで大気中の空気を取入れて有機高分子の平膜からなる酸素富化膜に空気を通すときに、酸素と窒素は減速するが、酸素は窒素の２．５倍の速度で通過する。これにより、通常の空気は窒素が７８％、酸素が２１％であったのが、酸素富化膜によって、窒素が６９％、酸素が３０％の空気となり、酸素が富化された高酸素濃度の空気を得ることができる。
【００１８】
前記酸素富化装置５の高酸素濃度の空気の吐出口５ａには、３本の空気配管６〜８が接続されている。なお、前記吐出口５ａに１本の空気配管を接続して、これから３本の空気配管６〜８に分岐する等しても良く、要するに、空気配管６〜８に高酸素濃度の空気をそれぞれ供給できれば良い。
【００１９】
前記空気配管６は、吐出口５ａの直後に消音装置（サイレンサー）９（Ａ，Ｂ）を介設して、浴室１の天井パネル４に開けた取付け穴４ａに差し込んで取付けた空気供給ノズル１０の入口側に差し込んで接続している。この空気供給ノズル１０の出口側は、浴室１内の浴槽２の上方に臨むようになる。
【００２０】
本実施形態では、酸素富化装置５の吐出口５ａと空気供給ノズル１０とを接続する空気配管６だけに消音装置９（Ａ，Ｂ）を介設したものであるが、空気配管７，８にもそれぞれ消音装置９（Ａ，Ｂ）を介設することもでき、また前記吐出口５ａに接続した１本の空気配管から３本の空気配管６〜８に分岐する場合には、分岐前の１本の空気配管に消音装置９（Ａ，Ｂ）を介設することもできる。
【００２１】
図２および図３は、前記消音装置９（Ａ，Ｂ）の内、具体的な第１実施形態の構造である。第１実施形態の消音装置９（Ａ）は、有底円筒状の消音本体９ａの上部開口を弾性体、例えばゴム製の弾性蓋材９ｂで気密に閉塞して、消音本体９ａの内部に、空気配管６の内径よりも大径の消音空間部９ｃを設けている。なお、消音本体９ａは、厚手のゴム製であるのが好ましいが、金属製や合成樹脂製であっても良い。
【００２２】
前記消音本体９ａの下部の中央部には、略水平方向から略垂直方向へＬ字形状に屈曲する流入部９ｄを形成して、消音空間部９ｃの弾性蓋材９ｂの中央部に対して、略垂直（略直角）方向ａから空気を流入させるようにしている。
【００２３】
また、前記消音本体９ａの下部の周囲部には、略水平方向から略垂直方向へＬ字形状に屈曲する流出部９ｅを形成して、消音空間部９ｃの弾性蓋材９ｂの周囲部に対して、略垂直（略直角）方向ｂから空気を流出させるようにしている。
【００２４】
第１実施形態の消音装置９（Ａ）では、空気配管６に介設した消音装置９（Ａ）の消音空間部９ｃの少なくとも一部を、弾性体である弾性蓋材９ｂで構成したから、弾性蓋材９ｂが空気の脈動流で振動して騒音エネルギーを減衰するので〔図３（ａ）は、正圧の脈動流ｃで弾性蓋材９ｂがふくらむ方向に振動した状態、図３（ｃ）は、負圧の脈動流ｄで弾性蓋材９ｂがへこむ方向に振動した状態〕、空気の脈動に伴う騒音を効果的に低減できるようになる。また、騒音エネルギーを弾性蓋材９ｂの振動で減衰させるので、消音装置９（Ａ）自体がコンパクトな構造であっても消音効果を高めることができる。
【００２５】
また、消音空間部９ｃの弾性蓋材９ｂで構成した部分に対して、流入部９ｄより略垂直方向ａから空気を流入させるようにしたから、空気の脈動流が流入部９ｂから弾性蓋材９ｂの中央部に直に当たるから、騒音エネルギーの減衰効率が向上するようになる。
【００２６】
さらに、消音空間部９ｃの弾性蓋材９ｂで構成した部分に対して、流出部９ｅより略垂直方向ｂから空気を流出させるようにしたから、騒音エネルギーが減衰された空気が弾性蓋材９ｂから流出部９ｅに直に出るから、騒音エネルギーの減衰効率に悪影響が与えられにくくなる。
【００２７】
さらにまた、酸素富化装置５の吐出口５ａ直後の空気配管６に消音装置９（Ａ）を設けて、この消音装置９（Ａ）の消音本体９ａの消音空間部９ｃの上部に弾性蓋材９ｂを設け、この消音空間部９ｃの下部に流入部９ｄおよび流出部９ｅを形成したから、酸素富化装置５の吐出口５ａ付近で結露した高酸素濃度の空気の結露水が流入部９ｄから消音空間部９ｃ内に入っても、下部の流出部９ｅから直ちに排出されて消音空間部９ｃ内に溜まらないので、騒音エネルギーの減衰効率に悪影響を与えにくくなる。
【００２８】
この結果、高酸素濃度の空気に含まれる脈動に伴う騒音が酸素富化装置５の空気配管６を通って空気供給ノズル１０から浴室１内に伝わりにくくなるので、浴室１内が静寂になる。
【００２９】
また、騒音が空気配管６から天井パネル４を経て浴室１内に伝わりにくくなるので、この点からも浴室１内が静寂になる。
【００３０】
図４は、前記消音装置９（Ａ，Ｂ）の内、具体的な第２実施形態の構造である。第２実施形態の消音装置９（Ｂ）は、円筒状の消音本体９ｆの両端部に流入部９ｇと流出部９ｈとをそれぞれ一体的に形成して、消音本体９ｆの内部に、空気配管６の内径よりも大径の消音空間部９ｉを設けたものであり、全体が弾性体、例えばゴム製である。なお、消音本体９ｆの両端部や流入部９ｇ、流出部９ｈは、金属製や合成樹脂製であっても良い。
【００３１】
第２実施形態の消音装置９（Ｂ）では、空気配管６に介設した消音装置９（Ｂ）の少なくとも消音本体９ｆを弾性体で構成したから、消音本体９ｆの壁部分が空気の脈動流で振動して騒音エネルギーを減衰するので〔符号ｅは、正圧の脈動流で消音本体９ｆがふくらむ方向に振動した状態、符号ｆは、負圧の脈動流で消音本体９ｆがへこむ方向に振動した状態〕、空気の脈動に伴う騒音を効果的に低減できるようになる。また、騒音エネルギーを消音本体９ｆの壁部分の振動で減衰させるので、消音装置９（Ｂ）自体がコンパクトな構造であっても消音効果を高めることができる。
【００３２】
前記酸素富化装置５の高酸素濃度の空気の吐出口５ａの空気配管６は、前記空気供給ノズル１０に接続しているが、残り２本の空気配管７，８は、図１のように、浴室１の外方を側壁パネルに沿わせて垂れ下がらせて、浴槽２側に設置した微細気泡発生装置Ａとジェットバス装置Ｂとにそれぞれ接続している。
【００３３】
図５（ａ）に示すように、微細気泡発生装置Ａは、浴槽２の浴槽壁２ａに吸込口１７と吐出口１８とが形成されて、吸込口１７は、空気配管１９を介して空気吸引部（エゼクタ−）２０の入口に接続され、この空気吸引部２０の出口は、空気配管２１を介してポンプ２２に接続されている。前記空気吸引部２０の側部には、前記酸素富化装置５の空気配管７が接続されている。
【００３４】
前記ポンプ２２は、空気配管２３を介して気液溶解タンク２４の上部に設けられた噴霧ノズル２５に接続されていて、この気液溶解タンク２４には、空気抜き弁２６が設けられている。
【００３５】
前記気液溶解タンク２４の下部は、空気配管２７を介して前記吐出口１８に接続され、この吐出口１８には、減圧弁である微細気泡発生ノズル２８が設置されている。
【００３６】
そして、スイッチ操作でポンプ２２を駆動すれば、吸込口１７から空気配管１９，２１を介して浴槽２内の浴水がポンプ２２に吸水されるとともに、その途中で、空気吸引部（エゼクタ−）２０の負圧作用により、空気配管７を介して酸素富化装置５から取入れられた高酸素濃度の空気が浴水に混入されるようになる。
【００３７】
この空気が混入された浴水は、ポンプ２２から空気配管２３を介して噴霧ノズル２５から気液溶解タンク２４内に噴出されることでバブリング状態となる。この気液溶解タンク２４内の余剰空気は、空気抜き弁２６からタンク外部に排出される。
【００３８】
この気液溶解タンク２４内の浴水は、空気配管２７を介して微細気泡発生ノズル２８で白濁の濃い微細気泡を含む浴水に変換されながら、吐出口１８から浴槽２内に吐出されるようになる。
【００３９】
このような浴水の循環を繰り返すことで浴槽２内は、微細気泡の浴水で満たされるようになる。
【００４０】
図５（ｂ）に示すように、ジェットバス装置Ｂは、浴槽２の浴槽壁２ａに吸込口３３と吐出口３４とが形成され、この吸込口３３と吐出口３４とは、ジェットポンプ３６を有する空気配管３５で接続されている。前記吐出口３４に設置されたジェットノズル３２には、前記酸素富化装置５の空気配管８が接続されている。
【００４１】
そして、スイッチ操作でジェットポンプ３６を駆動すれば、吸込口３３から空気配管３５を介して浴槽２内の浴水がジェットポンプ３６で吸水されながら、吐出口３４から浴槽２内に噴射吐出されるようになる。このとき、吐出口３４のジェットノズル３２の負圧作用により、空気配管８を介して酸素富化装置５から取入れられた高酸素濃度の空気が浴水に混入されるので、吐出口３４からは比較的大きな気泡を含んだ浴水が強く噴射されるようになる。
【００４２】
前記微細気泡発生装置Ａとジェットバス装置Ｂとは、浴槽２にそれぞれ設置して、選択的に使用することができるが、いずれか一方のみであっても良い。
【００４３】
そして、酸素富化装置５で発生した高酸素濃度の空気を空気配管７，８で微細気泡発生ノズル２８またはジェットノズル３２で浴槽２内に供給する際に、空気配管７，８に消音装置９（Ａ，Ｂ）を設けてあれば、騒音が酸素富化装置５の空気配管７，８を通って微細気泡発生ノズル２８またはジェットノズル３２から浴槽２内を通って浴室１内に伝わりにくくなるので、浴室１内が静寂になる。また、騒音が空気配管７，８から天井パネル４や側壁パネルを経て浴室１内に伝わりにくくなるので、この点からも浴室１内が静寂になる。
【００４４】
前記実施形態は、浴室１に設置した酸素富化装置５の空気配管６〜７に介設した消音装置９（Ａ，Ｂ）であったが、これに限られるものではなく、空気配管の途中に介設する消音装置（サイレンサー）として、他の分野でも広く適用できることは言うまでもない。
【図面の簡単な説明】
【００４５】
【図１】本発明の実施形態に係る消音装置を取付けた浴室の斜視図である。
【図２】第１実施形態の消音装置であり、（ａ）は斜視図、（ｂ）は側面断面図である。
【図３】第１実施形態の消音装置であり、（ａ）は弾性蓋材がふくらむ方向に振動した状態の側面断面図、（ｃ）は弾性蓋材がへこむ方向に振動した状態の側面断面図である。
【図４】第２実施形態の消音装置であり、（ａ）は斜視図、（ｂ）は側面断面図である。
【図５】（ａ）は浴槽の微細気泡発生装置のシステム図、（ｂ）は浴槽のジェットバス装置のシステム図である。
【符号の説明】
【００４６】
１      浴室
２      浴槽
４      天井パネル
５      酸素富化装置
６〜８  空気配管
１０    空気供給ノズル
９（Ａ，Ｂ）  消音装置
９ａ    消音本体
９ｆ    消音本体（弾性体）
９ｂ    弾性蓋材（弾性体）
９ｃ，９ｉ    消音空間部
９ｄ，９ｇ    流入部
９ｅ，９ｈ    流出部
２８    微細気泡発生ノズル
３２    ジェットノズル
Ａ      微細気泡発生装置
Ｂ      ジェットバス装置
【図１】
0004492339.tif 000002
【図２】
0004492339.tif 000003
【図３】
0004492339.tif 000004
【図４】
0004492339.tif 000005
【図５】
0004492339.tif 000006